(57)【要約】  特定の波長帯において素子に入射する放射光を吸収する吸収素子（１０）。この素子は、表面（１８）を含み、この表面に対して垂直な法線を定める。また、この素子は、法線方向以外の角度配向で表面から延出する複数の離間されたナノピラー（２６）のアレイも含み、特定の方向において素子の吸収応答を高めるように、角度非対称性を形成する。ナノピラーは、適した半導体材料で作られ、放射光を吸収するために波長帯に関係するサイズを有する。非限定的な実施形態では、ナノピラーは法線方向に対して４５°に傾けられ、その吸収能力を広げるために円錐形状をなす。【選択図】図４
2021520514.tif 000002
【特許請求の範囲】
【請求項１】
特定の波長帯において素子上に入射する放射光を吸収する吸収素子であって、
表面であって、当該表面に対して垂直な法線を定める、表面と、
前記表面に対して法線方向以外の角度配向で前記表面から延出する複数の離間されたナノピラーのアレイであって、前記ナノピラーが、前記放射光を吸収する前記波長帯に関係する断面直径および長さを有する、ナノピラーのアレイと、
を備える、吸収素子。
【請求項２】
請求項１記載の素子において、前記ナノピラーの角度配向が、法線方向に対して１°と、前記表面の見通し角との間である、素子。
【請求項３】
請求項２記載の素子において、前記ナノピラーの角度配向が、法線方向に対して４５°である、素子。
【請求項４】
請求項１記載の素子において、各ナノピラーの断面直径が、当該ナノピラーの一端から、当該ナノピラーの逆側の一端まで一貫しない、素子。
【請求項５】
請求項１記載の素子において、各ナノピラーが円錐形状である、素子。
【請求項６】
請求項５記載の素子において、各ナノピラーの最も広い直径が前記表面上であり、各ナノピラーの最も狭い直径が、前記表面とは逆側である、素子。
【請求項７】
請求項１記載の素子において、各ナノピラーが多角形状の断面を有する、素子。
【請求項８】
請求項１記載の素子において、前記ナノピラーのアレイが半導体材料で作られる、素子。
【請求項９】
請求項８記載の素子において、前記ナノピラーのアレイが、ａ−Ｓｉ、ＧａＡｓ、ＧａＮ、ＩｎＡｓ、ＩｎＰ、ＧａＰ、ＩｎＳｂ、Ｂｉ２Ｔｅ３、ＣｄＴｅ、ＣＺＴＳＳｅ、ＣＩＧＳペロフスカイト、またはＢｉＴｅで作られる、素子。
【請求項１０】
請求項８記載の素子において、前記ナノピラーのアレイが、可視スペクトルにおいて光放射を吸収するためにＩｎＰで作られ、可視光および近赤外線スペクトルにおいて光放射を吸収するためにＳｉで作られ、中間波赤外線スペクトルにおいて光放射を吸収するためにＩｎＳｂで作られ、長波赤外線スペクトルにおいて光放射を吸収するためにＢｉ２Ｔｅ３で作られる、素子。
【請求項１１】
請求項１記載の素子において、前記ナノピラーの長さおよび直径が、前記波長帯に基づいて選択される、素子。
【請求項１２】
請求項１１記載の素子において、前記ナノピラーが直接遷移材料で作られ、前記ナノピラーの長さが、前記波長帯の中心を前記ピラー材料の屈折率の実部で除算した値の少なくとも２倍であり、前記ナノピラーの直径が、大凡、前記波長帯を前記ピラー材料の屈折率の実部で除算した値である、素子。
【請求項１３】
請求項１記載の素子において、前記ナノピラーのアレイが、保護コーティング内にカプセル化される、素子。
【請求項１４】
特定の波長帯において、素子に入射する光放射を吸収する光吸収素子であって、
表面であって、当該表面に対して垂直な法線を定める、表面と、
法線方向以外の角度配向で前記表面から延出する複数の離間された円錐形状半導体ナノピラーのアレイであって、前記ナノピラーが前記放射光を吸収する前記波長帯に関係するサイズを有する、ナノピラーのアレイと、
を備える、光吸収素子。
【請求項１５】
請求項１４記載の素子において、各ナノピラーの最も広い直径が前記表面上であり、各ナノピラーの最も狭い直径が、前記表面とは逆側である、素子。
【請求項１６】
請求項１４記載の素子において、前記ナノピラーの角度配向が、前記法線方向に対して１°から前記表面の見通し角までの間である、素子。
【請求項１７】
請求項１６記載の素子において、前記ナノピラーの角度配向が、法線方向に対して４５°である、素子。
【請求項１８】
請求項１４記載の素子において、前記ナノピラーのアレイが、ａ−Ｓｉ、ＧａＡｓ、ＧａＮ、ＩｎＡｓ、ＩｎＰ、ＧａＰ、ＩｎＳｂ、Ｂｉ２Ｔｅ３、ＣｄＴｅ、ＣＺＴＳＳｅ、ＣＩＧＳペロフスカイト、またはＢｉＴｅで作られる、素子。
【請求項１９】
請求項１４記載の素子において、前記ナノピラーのアレイが、可視スペクトルにおいて光放射を吸収するためにＩｎＰで作られ、可視光および近赤外線スペクトルにおいて光放射を吸収するためにＳｉで作られ、中間波赤外線スペクトルにおいて光放射を吸収するためにＩｎＳｂで作られ、長波赤外線スペクトルにおいて光放射を吸収するためにＢｉ２Ｔｅ３で作られる、素子。
【請求項２０】
請求項１４記載の素子において、前記ナノピラーのアレイが、保護コーティング内にカプセル化される、素子。
【発明の詳細な説明】
【技術分野】
【０００１】
[0001]  本開示は、一般的には、一定の波長において放射光を吸収する吸収素子に関し、更に特定すれば、垂直に対して傾斜したナノピラーのアレイを含み、特定の方向における素子の吸収応答を高めるように、角度非対称性を形成する光吸収素子に関する。
【従来技術】
【０００２】
[0002]  電磁波の吸収は、特定の波長において、比較的広帯域であり入射角および偏光に感応しないことが、多くの用途には望ましい。例えば、受信機によって受信される通信信号の吸収度は、広い帯域幅および広い角度範囲にわたって高いことが望ましいのはもっともである。しかしながら、殆どの材料は、その材料の表面に入射するエネルギの多くを反射し、放射ビームの入射角（ＡＯＩ）がＳおよびＰ偏光双方の見通し角に近づくに連れて、反射が増大する。この材料の反射特性は、主にフレネル条件によるものであり、フレネル条件は、異なる屈折率を有する媒体間、例えば、空気から導波路に移動するときの光の挙動を記述する。材料の表面界面(surface interface)をナノ構造にすることにより、構造の単位セルのサイズが入射ビームの波長よりもはるかに小さくなり、ビームの吸収を改善できることが知られている。例えば、円筒状のナノポストを設けることにより、個々のナノ構造の一次方位角導波路モードへの強い結合に起因して、放射光の吸収増加を実現することができる。
【０００３】
[0003]  ガリウム・ナノピラーのような半導体ナノピラーのアレイを含む光吸収素子が、当技術分野では知られている。これらのナノピラーは、その比較的大きな表面積のために、光を捕獲し、したがって吸収することができる。半導体ナノピラー・アレイは入射する電磁場に感応し、充填密度およびピラー高というような、エネルギを吸収するときの構造の効率に影響を及ぼす可能性があることが、研究によって示されている。通例、傾斜型構造は、一方の媒体から他方の媒体への屈折率の勾配緩和(grading)に対処し、反射を最小限に抑えるのに役立つ。ナノピラーは、この制御を、一方の媒体から他方に遷移するときに、余りに大きな摂動に遭遇することから(from seeing too large of a perturbation)、入射電磁エネルギを和らげるのに役立つ方法として、可能にする。
【０００４】
[0004]  知られているナノ構造設計の中には、二重直径(dual diameter)ナノピラーを採用するものもあり、エネルギを捕獲するのに有効であり、したがって、反射防止処置を使用せずに、光を吸収するのに有効である。二重直径ナノピラーを採用することにより、全長に沿って同じ直径を有するナノピラーによる吸収と比較して、入射光からより多くのエネルギを吸収することができる。当技術分野では、セル外形構造(geometry structure)対分散反射特性の関係を調査するために、方形、矩形、六角形等のような、円筒形以外の形状も検討されている。
【０００５】
[0005]  吸収素子(absorber element)の吸収性能を高めるための反射制御に適した新規材料の開発には進展があったが、局所電磁場を操作することによって、追加の改善を行うことができる。シリコン・ナノピラーは、その表面における磁場促進(field enhancement)のように、一意の光学的挙動を小規模で呈し、異なるＡＯＩにおいて反射性能を改善するその潜在力を明確に示す。電子ビーム・リソグラフィおよびウェハ規模プロセス(wafer scale processes)は、特定のスペクトル領域において促進(enhancement)を最大化するように調整することができる寸法を有するシリコン・ナノピラーを作成することができる。電磁スペクトルの赤外線領域における吸収に利用することができる他の技法には、自己集合プロセス(self-assembly process)を採用するものがあり、７０°の堆積角で斜方蒸着によって、ポリスチレン・ナノスフェア（ＰＳＮＳ）の単一層にＳｉＯ２を被覆する。空気中において６５０°Ｃで焼鈍することによってＰＳＮＳを除去した後、ＳｉＯ２ナノスフェア・クラウン（ＮＳＣ：nano-spherical crown）の周期的アレイが残る。ＮＳＣテンプレート上において、８０°の堆積角および４７０°Ｃの基板温度で、ＳｉおよびＦｅを交互に堆積する。強力なシャドーイング効果によって、β−ＦｅＳｉ２の非密充填ナノピラー・アレイ(non-close-packed nano-pillar array)を製作することができる。β−ＦｅＳｉ２の周期的アレイは、温度を操作するのに有用であり、対象のＩＲ用途に対して興味深い性能基準(performance metrics)を有することができる。
【０００６】
[0006]  加えて、半導体ナノ構造のパターニングおよび生成のための低コスト・ナノスフェア・リソグラフィ方法が、従来のトップダウン製造技法に代わる潜在的な代替法を提供する。１０〜１００ｎｍの外形および１０までのアスペクト比を有するシリコン・ナノピラー「フォーレスト」が、ナノスフェア・リソグラフィおよび深堀り反応性イオン・エッチングの組み合わせを使用するコスト効率的な選択肢によって製作されてきた。異なる長さ、直径、および密度のナノピラーを製造するためには、酸素プラズマおよび時間多重プロセスを使用して、ナノスフェア・エッチ・マスク被覆シリコン基板(nano - sphere etch mask coated silicon substrate)をエッチングすることができる。
【０００７】
[0007]  今後のナノピラーの製作では、界面が明確に定められた軸状および放射状コア−シェル・ヘテロ構造も含むことができる。パターニングされたシリコン上における金属−有機化学蒸着（ＭＯＣＶＤ：metal-organic chemical vapor deposition）選択的エリア・エピタキシによって設けられる、１００ｎｍから２００ｎｍの直径および数ミクロンの高さを有するナノピラーの均一アレイの成長によって、多次元での電子閉じ込めが生じ、電子−フォノン散乱率(rates of electron-phonon scattering)を低下させ、したがって、量子効率が更に高く、より長い波長において動作する材料を提供することができる。
【発明の概要】
【発明が解決しようとする課題】
【０００８】
[0008]  半導体ナノピラーを採用する光吸収素子は、光を効果的に吸収することが示されている。しかしながら、これらの光学素子にはある種の欠点(limitations)がある。例えば、ナノピラーの半径がスペクトル吸収を制御すること、および均一な半径を有する円筒状ナノピラーが比較的狭帯域の吸収を呈することが示されている。更に、基板に関して法線に対して垂直に構成されたナノピラーを有する光吸収素子は、一般に、法線に対して±４５°の角度で基板に入射する光でなければ効果的に吸収しないことが知られている。つまり、法線に対して４５°と見通し角との間の角度から素子に入射する光は、効率的に吸収されない。
【図面の簡単な説明】
【０００９】
【図１】図１は、傾斜(angled)円錐状ナノピラーを有する光吸収素子を製作する一連の製作ステップを示す。
【図２】図２は、傾斜円錐状ナノピラーを有する光吸収素子を製作する一連の製作ステップを示す。
【図３】図３は、傾斜円錐状ナノピラーを有する光吸収素子を製作する一連の製作ステップを示す。
【図４】図４は、傾斜円錐状ナノピラーを有する光吸収素子を製作する一連の製作ステップを示す。
【図５】図５は、最終的に製作された光吸収素子の等幅図である。
【図６】図６は、光学素子から分離したナノピラーの１本を、４５°に傾けた場合を実線で示し、法線角度の場合を点線で示す側面図である。
【図７】図７は、横軸が波長、縦軸が吸収率を表し、法線方向に向けられたナノピラーを有する光吸収素子について、無偏光光の様々な波長に対する吸収特性を示すグラフである。
【図８】図８は、横軸が波長、縦軸が吸収率を表し、法線方向に対して４５°に向けられた円錐状ナノピラーを有する光吸収素子について、無偏光光の様々な波長に対する吸収特性を示すグラフである。
【発明を実施するための形態】
【００１０】
[0014]  本開示の実施形態は、素子の吸収応答の角度非対称性を生じさせるために、法線に対して傾斜したナノピラーのアレイを含む光吸収素子を対象とするが、実施形態についての以下の論述は、本質的に例示に過ぎず、本開示を限定することも、その用途や使用を限定することも全く意図していない。
【００１１】
[0015]  本開示は、適した半導体材料で作られ、一定のビーム方向に対して比較的広い帯域幅にわたって素子の吸収能力を高めるために、法線方向に対して傾斜した有形ナノピラーのアレイを有する放射光吸収エレメントを提案する。シリコンのような基礎的な半導体材料をサブ波長に基づいて(on a sub-wavelength basis)エッチングしてまたは成長させて、テーパー状円錐構造にすると、異なる反射および吸収特性が観察される。更に特定すると、あらゆる材料はそれ自体の特性エネルギ帯構造を有する。この帯構造のばらつきが、種々の材料において観察される広範囲の電気的特性の原因となる(responsible for)。半導体および絶縁体において、電子は複数のエネルギ帯に閉じ込められ、他の領域からの出入りが禁止される。「バンド・ギャップ」(band gap)という用語は、価電子帯の上端と導電帯の下端との間におけるエネルギ差を意味する。電子は帯間をジャンプすることができる。しかしながら、電子が価電子帯から導電帯までジャンプするためには、遷移のために特定の最小エネルギ量を必要とする。要求されるエネルギは、材料が異なれば、異なる。電子は、光子（熱）または光子（光）のいずれかを吸収することによって、導電帯にジャンプするのに十分なエネルギを得ることができる。本明細書において検討する材料は、各々、それ自体のバンド・ギャップを有し、これはその分散特性を判定するのに役立つ。
【００１２】
[0016]  大きな帯域幅にわたって、異なる入射角および偏光に対してナノピラーを精度高くモデリングすることは、難しい問題である。偏光および入射角に関する共振周波数、帯域幅、高調波のばらつきを考慮しなければならない。加えて、異なる偏光および入射角に対して、広帯域要件に合致することができる適正な半導体材料を発見するプロセスは、非常に複雑になるのはもっともである。特定の種類の周期的アレイでは、等価実効屈折率は、偏光および入射角に対して複雑な依存性を有する。
【００１３】
[0017]  図１〜図４は、光吸収素子１０を製作するプロセスを示す一連の等幅図であり、最終的に製作された素子１０を図５に示す。尚、本明細書において説明する、光学素子１０を製作するプロセスは単なる一例に過ぎず、最終的な吸収素子１０を得るために、このプロセスの変形や他のプロセスも実行できることを注記しておく。更に、素子１０は光スペクトルにおける放射光を吸収するために特定的に設計されるが、本明細書における論述にしたがって、他の波長帯に合わせた他の吸収素子も提供できることも注記しておく。
【００１４】
[0018]  図１は、適した半導体材料で作られた半導体ウェハまたは基板１２を示す。吸収に最良の半導体材料は、通例、材料のバンド・ギャップ未満の波長において高い屈折率を有し、対象の周波数帯域に対して高い損失を有する半導体材料である。適した半導体材料には、ａ−Ｓｉのような間接バンド・ギャップ材料(idirect bandgap material)、ＧａＮ、ＧａＡｓ、ＩｎＰ、ＩｎＳｂのようなＩＩＩ−Ｖ半導体材料、三元系および四元系(ternaries and quarternaries)等、ＣｄＴｅ、ＣＺＴＳＳｅ、ＣＩＧＳ、ペロフスカイト、ＢｉＴｅ等、ならびにａ−Ｓｉのような間接バンド・ギャップ材料、ＧａＰのようなＩＩＩ−Ｖ半導体材料、三元系および四元系等を含むことができる。非限定的な一実施形態では、本明細書では、広帯域光放射吸収のために、３種類の異なる半導体材料を提案する。これらは、可視光のためのＩｎＰ、可視光および近赤外線（ＮＩＲ）光のためのＳｉ、ならびに中間波ＩＲ（ＭＷＩＲ：mid-wave IR）光のためのＩｎＳｂを含む。長波長ＩＲ（ＬＷＩＲ：long-wave IR）光に対してテルル化ビスマス（Ｂｉ２Ｔｅ３）のような材料を検討するとき、半導体材料のバンドギャップ・エネルギを注意深く設計しなければならない。
【００１５】
[0019]  基板１２は、比較的平坦な上面１８を有し、その上に、任意の適したフォトレジスト堆積プロセスによって、フォトレジスト層１４をスピンする(spun)。次いで、電子ビーム・リソグラフィ・プロセスを実行して、フォトレジスト層１４の上面をパターニングし、ナノポストを作成する位置を定める。次いで、フォトレジスト層１４の電子ビーム露光部分が溶解するように、適した溶液中でフォトレジスト層１４を現像して、この非限定的な実施形態に適した形状の孔１６、ここでは、円形の孔を層１４内に形成する。
【００１６】
[0020]  次に、孔１６を埋めるマスク層２０をフォトレジスト層１４上に堆積し、図２に示すように、クロムのような任意の適したマスク材料を使用することができる。次に、図３に示すように、基板１２上に残る全てはマスク材料の円筒状キャップ２２となるように、リフトオフ・プロセスにおいて適した化学薬品によってフォトレジスト層１４を溶解する。次いで、基板１２に反応性イオン・ドライ・エッチングを実行するように位置付けられた傾斜ステージ２４または他の楔状デバイス上に、素子１０を置き、ステージ２４の角度によって決定される、９０°以外の、基板１２の表面１８に対する角度で、円錐形状のナノピラー２６のアレイ３４を形成する。図４に示すように、ナノピラー２６の最大直径は基板１２上にあり、ナノピラー２６の最小直径は基板１２の逆側となる。代替実施形態では、ナノピラー２６の最大直径を基板１２の逆側にすることができ、ナノピラー２６の最小直径を基板１２上にすることができる。この非限定的な実施形態では、ステージ２４、つまりナノピラー２６は、表面１８および法線に対して４５°に傾けられる。また、反応性イオン・ドライ・エッチングは、キャップ２２の全てまたは殆どを除去する。尚、ナノピラー２６のアレイ３４は、正方形または長方形の形状または外形を有するように示されているが、これは非限定的な一例に過ぎないことを注記しておく。アレイ３４は、六角形または不規則形状のような、個々の用途に適した任意の形状を有することができる。
【００１７】
[0021]  反応性イオン・エッチングは、イオン源２８からの高エネルギ・イオン３２を使用して、ナノピラー２６の長さを定める一定の深さまで、キャップ２２周囲の基板１２の部分を除去する。誘導結合プラズマ反応イオン・エッチング（ＩＣＰ−ＲＩＥ：inductively coupled plasma reactive ion etch）、深掘り反応性イオン・エッチング（ＤＲＩＥ：deep reactive ion etch）等のような、キャップ２２のアンダーカットを抑えつつエッチングの所望の深さが得られる任意の適したドライ・エッチング・プロセスを採用することができる。イオン源２８は、ナノピラー２６の所望の角度配向(angle orientation)を得るために、素子１０がステージ２４に実装されていない場合には、素子１０に向けてイオン３２を概略的に表面１８に対して垂直に発射する(direct)ように位置付けられている。一旦ナノピラー２６が形成されたなら、ＰＤＭＳ（ポリジメチルシロキサン）コーティングまたは任意の他の適した保護用低屈折率材料のような、保護コーティング３０内にナノピラー２６をカプセル化することができる。次いで、カプセル化されたナノピラー２６は、基板１２の残りの部分が剥がされ、図５に示すような最終素子１０が得られる。吸収された信号を所望の場所に送るために、任意の適した方法で電線（図示せず）をナノピラー２６に接続する。代替設計では、素子１０が放射光を放出することもできる。
【００１８】
[0022]  法線方向に対してナノピラー２６を傾けることによって、法線方向から素子１０を見下ろすと、素子１０は角度非対称性を有することになる。これによって、素子１０は、ナノピラー２６が面している方向からの入射放射光に対する吸収応答を高めることが可能になる。言い換えると、ナノピラー２６を一方の方向に向け、反対方向からは遠ざけるようにすることによって、その方向における素子１０の吸収は、ナノピラー２６が法線方向に上を向く場合よりも良くなる。入射ビームの吸収は、ナノピラー２６が面する方向に対して±４５°の方向において最良に行われるので、４５°に配向されたナノピラーは、法線と素子１０のその面に対する見通し角との間の放射光を吸収するが、ナノピラー２８が垂直法線方向を向いている場合、４５°と見通し角との間の放射光はさほど吸収されない。したがって、入射放射ビームの大まかな方向がわかっている場合、ナノピラー２６をその方向に傾けることにより吸収が高まり、同時に他の方向からのノイズが低減する。他の実施形態では、入射放射光の方向に応じて、最良の吸収のために、ナノピラー２６を他の角度に傾けなければならない場合もある。実際、ナノピラー２６の角度は、法線に対して１°から見通し角、即ち、ビームの全てが表面１８から反射される角度までの全域に適用することができる。
【００１９】
[0023]  前述のように、ナノピラー２６は円錐形状をなす。ナノピラー２６をこのような形状にし、その長さにわたって一定の直径を有さないようにすることによって、素子１０の吸収特性が一層広帯域になり、より広い帯域幅にわたって放射光を吸収するように改善され、したがって特定の吸収用途には一層効果的となる。しかしながら、例えば、円形、楕円形、三角形、正方形、長方形、菱形、平行四辺形、五角形、六角形、七角形、八角形、星形等というような任意の多角形形状、渦巻、弦巻、波形等というように、他の外形を有するピラー形状も等しく適用できるとして差し支えないことを強調しておく。更に、複数の断面形状を１つのナノピラーに組み込むこともでき、ナノピラーは、その長さに沿って動くと、異なる形状に移り変わる。
【００２０】
[0024]  ナノピラー２６の長さおよび直径の選択は、吸収すべき所望の波長帯に左右される。一般に、直接遷移材料については、ナノピラー２６の長さは、通例、帯域の中心波長を材料の屈折率の実部で除算した値の少なくとも２倍であり、長さが長い程性能は向上する。通例、ナノピラー２６の直径は、大凡、帯域の中心波長を材料の屈折率の実部で除算した値である。間接遷移材料については、ナノピラー２６の長さは、通例、帯域の中心波長を材料の屈折率の実部で除算した値の２倍よりもはるかに長い。ナノピラー２６の具体的な長さおよび直径は、ＧａＡｓおよびＩｎＰ半導体材料ならびに４００および９００ｎｍの間の吸収波長帯の場合、長さが約１μｍ、直径が約５０〜２００ｎｍであり、ＩｎＳｂ半導体材料ならびに１．５および５．５μｍの間の吸収波長帯の場合、長さが約５μｍ、直径が約２００ｎｍ〜１μｍであり、ｃ−Ｓｉ半導体材料ならびに４００ｎｍおよび１．１μｍの間の吸収波長帯の場合、長さが約１０μｍ、直径が約５０ｎｍ〜５μｍである。可視光を吸収するための他の例をあげると、基板１２はＩｎＰとしてもよく、各ナノピラー２６は、最も狭い点における直径が８０ｎｍ、最も広い点における直径が２００ｎｍ、長さが３μｍとすればよい。ＭＷＩＲを吸収する場合、基板１２はＩｎＳｂとしてもよく、各ナノピラー２６は、最も狭い点における直径が２００ｎｍ、最も広い点における直径が１１００ｎｍ、そして長さが１５μｍとすればよい。
【００２１】
[0025]  以上で論じた非限定的な実施形態では、ナノピラー２６が表面１８に対して４５°の角度に形成される。図６は、素子１０から分離したナノピラー２６の１つの側面図であり、４５°の角度に配向した場合を実線で示し、法線角度の場合を破線で示す。入射光ビームの方向を矢印で示す。この外形は、ナノピラーが入射ビームに対して真っ直ぐに向けられる(directly pointed at)ときに、最も効果的な吸収が得られることを示す。ナノピラー２６の配向によって、素子１０に入射する放射光に対して、素子のその側の半円において法線から見通し線までのいずれの方向からでも、適した吸収体が得られる。尚、逆側の半円では、法線および見通し線の間において放射光は吸収されない。
【００２２】
[0026]  図７は、横軸が波長、縦軸が吸収率を表し、０°、２０°、４５°、６０°、７０°、７５°、および８０°のビーム入射角度に対する、法線方向に向けられたナノピラーの吸収特性を示すグラフである。図８は、同じグラフであるが、０°、２０°、４５°、６０°、７０°のビーム入射角度に対する、４５°の角度に向けられたナノピラー２６についてであり、吸収性能の向上を示す。例えば、図７は、４５°のビーム角の吸収において、８００ｎｍ周囲に凹みを示すが、図８は、４５°に向けられたナノピラー２６について、この波長において凹みを示さない。
【００２３】
[0027]  以上の論述は、本開示の例示的な実施形態を開示および説明したに過ぎない。当業者であれば、以下の特許請求の範囲に定める通りの本開示の主旨および範囲から逸脱することなく、このような論述ならびに添付図面および特許請求の範囲から、種々の変更、修正、および変形も行えることは容易に認められよう。
【図１】
2021520514.tif 000003
【図２】
2021520514.tif 000004
【図３】
2021520514.tif 000005
【図４】
2021520514.tif 000006
【図５】
2021520514.tif 000007
【図６】
2021520514.tif 000008
【図７】
2021520514.tif 000009
【図８】
2021520514.tif 000010
【国際調査報告】
2021520514.tif 000011
2021520514.tif 000012
2021520514.tif 000013